(57)【要約】【課題】カバー部が垂直方向に移動可能なスライド型移動通信端末機を提供する。【解決手段】上面中央部に傾斜面１３０が形成される本体部１００と、下面中央部に前記本体部１００の傾斜面１３０に対応する傾斜面２４０が形成されるカバー部２００と、前記本体部１００とカバー部２００に提供され、前記カバー部２００を水平方向及び垂直方向に移動させるスライドモジュールと、を含んで構成されるスライド型移動通信端末機が提供される。【選択図】図３
2007166621.tif 000002
【特許請求の範囲】
【請求項１】
上面中央部に傾斜面が形成される本体部と、
下面中央部に前記本体部の傾斜面に対応する傾斜面が形成されるカバー部と、
前記本体部とカバー部に提供され、前記カバー部を水平方向及び垂直方向に移動させるスライドモジュールと、を含んで構成されるスライド型移動通信端末機。
【請求項２】
前記スライドモジュールは、
前記本体部の内部に固定され、一部が本体部の傾斜面と同一の角度で折曲されるスライドレールと、
一端は前記カバー部の内部に固定され、他端は前記スライドレールに沿って移動するスライダーと、を含んで構成される請求項１に記載のスライド型移動通信端末機。
【請求項３】
前記スライドレールは、
前記本体部の下部から中央部に向かって延長される一対の水平レールと、前記水平レールから延長され、前記本体部の中央部傾斜面と同一の角度で折曲される一対の傾斜レールと、から構成される請求項２に記載のスライド型移動通信端末機。
【請求項４】
前記スライドレールには、ガイド溝が形成され、
前記スライダーには、前記ガイド溝に挿入されてスライド移動するガイド突起が形成される請求項２に記載のスライド型移動通信端末機。
【請求項５】
前記ガイド突起には、スライダーのより円滑な移動のための弾性材質のローラが設置される請求項４に記載のスライド型移動通信端末機。
【請求項６】
前記スライドレールには、ガイド溝が形成され、
前記スライダーには、前記ガイド溝に挿入されてスライド移動するボールベアリングが設置される請求項２に記載のスライド型移動通信端末機。
【請求項７】
前記一対の水平レール間には、サポータープレートが提供される請求項３に記載のスライド型移動通信端末機。
【請求項８】
前記スライドモジュールは、
前記本体部の内部に固定され、一部が本体部の傾斜面と同一の角度で折曲される第１スライドレールと、
前記カバー部の内部に固定され、一部がカバー部の傾斜面と同一の角度で折曲される第２スライドレールと、
前記第１スライドレールから延長され、前記第２スライドレールに結合される第１スライダーと、
前記第２スライドレールから延長され、前記第１スライドレールに結合される第２スライダーと、を含んで構成される請求項１に記載のスライド型移動通信端末機。
【請求項９】
前記第１スライドレールは、
前記本体部の下部から中央部に向かって延長される一対の第１水平レールと、
前記第１水平レールから延長され、前記本体部の中央部傾斜面と同一の角度で折曲される一対の第１傾斜レールと、から構成され、
前記第２スライドレールは、
前記カバー部の上部から中央部に向かって延長される一対の第２水平レールと、
前記第２水平レールから延長され、前記カバー部の中央部傾斜面と同一の角度で折曲される一対の第２傾斜レールと、から構成される請求項８に記載のスライド型移動通信端末機。
【請求項１０】
前記第１スライダーは、第１傾斜レールから延長されて第２スライドレールと結合し、前記第２スライダーは、前記第２水平レールから延長されて第１スライドレールと結合する請求項９に記載のスライド型移動通信端末機。
【請求項１１】
前記第１スライダーの終端には、第２スライドレールとの高さ差補償のための延長部が形成される請求項１０に記載のスライド型移動通信端末機。
【請求項１２】
前記第１及び第２スライドレールには、ガイド溝がそれぞれ形成され、
前記延長部と第２スライダーには、前記ガイド溝に挿入されるガイド突起がそれぞれ形成される請求項１１に記載のスライド型移動通信端末機。
【請求項１３】
前記ガイド突起には、第１及び第２スライダーのより円滑な移動のためのプラスチック材質のローラが設置される請求項１２に記載のスライド型移動通信端末機。
【請求項１４】
前記第１及び第２スライドレールには、ガイド溝が形成され、
前記延長部と第２スライダーには、前記ガイド溝に挿入されてスライド移動するボールベアリングが設置される請求項１１に記載のスライド型移動通信端末機。
【請求項１５】
前記第１及び第２水平レールの間には、第１及び第２サポータープレートがそれぞれ提供される請求項９に記載のスライド型移動通信端末機。
【請求項１６】
前記スライドモジュールは、
前記本体部の内部に提供され、前記カバー部の水平移動経路を形成するガイドプレートと、
前記ガイドプレートに移動可能に結合し、前記カバー部のスライド移動時、水平往復運動するスライダーと、
一側が前記スライダーに結合され、他側が前記カバー部に結合され、前記カバー部の垂直方向移動時に回転するリンクと、を含む請求項１に記載のスライド型移動通信端末機。
【請求項１７】
前記スライディングモジュールには、
前記カバー部が前記本体部を開放する方向に垂直方向スライド移動するように、前記カバー部に力を加える弾性部材をさらに含んで構成される請求項１６に記載のスライド型移動通信端末機。
【請求項１８】
前記弾性部材は、前記リンクを回転させることで、前記カバー部を垂直方向移動させることを特徴とする請求項１７に記載のスライド型移動通信端末機。
【請求項１９】
前記弾性部材は、一側が前記リンクに結合され、他側が前記スライダーに結合され、前記カバー部が前記本体部を開放する方向に前記リンクを回転させるトーションスプリングから構成されることを特徴とする請求項１８に記載のスライド型移動通信端末機。
【請求項２０】
前記弾性部材は、
中心部としてねじりモーメントが発生するコイル部と、前記コイル部の両端が長く延長された延長端部と、を含んで構成される請求項１９に記載のスライド型移動通信端末機。
【請求項２１】
前記スライダーは、リンクの下部に軸結合されることを特徴とする請求項１７に記載のスライド型移動通信端末機。
【請求項２２】
前記弾性部材は、一側が前記リンクに結合され、他側が前記スライダーに結合され、中心部が前記軸に結合されることを特徴とする請求項２１に記載のスライド型移動通信端末機。
【請求項２３】
通話のための前記カバー部のスライド移動後、前記リンクは、本体上面と所定角度を維持する請求項１６に記載のスライド型移動通信端末機。
【請求項２４】
前記リンクと本体上面とがなす角は、３０゜である請求項２３に記載のスライド型移動通信端末機。
【請求項２５】
前記本体部に形成され、前記リンクが所定角度以上回転することを防止する第１回転防止部をさらに含んで構成されることを特徴とする請求項２３に記載のスライド型移動通信端末機。
【請求項２６】
前記第１回転防止部は、
前記本体部と垂直に形成される第１垂直段と、前記本体部に所定角度をなして形成される第１傾斜段と、から構成される請求項２５に記載のスライド型移動通信端末機。
【請求項２７】
前記カバー部に形成され、前記リンクが所定角度以上回転することを防止する第２回転防止部をさらに含んで構成されることを特徴とする請求項２５に記載のスライド型移動通信端末機。
【請求項２８】
前記カバー部と垂直に形成される第２垂直段と、前記カバー部に所定角度をなして形成される第２傾斜段と、から構成される請求項２７に記載のスライド型移動通信端末機。
【発明の詳細な説明】
【技術分野】
【０００１】
本発明は、スライド型移動通信端末機に関するもので、より詳しくは、カバー部が垂直方向に移動可能なスライド型移動通信端末機に関するものである。
【背景技術】
【０００２】
最近、通信技術の飛躍的な発展と伴い、移動通信端末機の用途も多様化されており、移動通信端末機を用いたインターネット検索、動映像再生、各種ゲームなどのマルチメディア機能遂行が可能になりつつある。
【０００３】
よって、より多量の情報を一度に出力するために液晶画面の大型化が要求されており、最近は、既存のフリップ型とフォルダー型の代りに、液晶画面の大きさを増加できるスライド型移動通信端末機が量産されている。
【０００４】
以下、添付の図面に基づいて、従来のスライド型移動通信端末機に関して説明する。
【０００５】
図１Ａ及び図１Ｂは、従来のスライド型移動通信端末機を示す斜視図である。
【０００６】
図１Ａ及び図１Ｂに示すように、従来のスライド型移動通信端末機は、本体部１０と、該本体部１０に結合されて水平方向にスライド移動するカバー部２０と、から構成される。
【０００７】
前記本体部１０は、文字や各種記号の信号入力のためのキーパッド１１と、バッテリー１３と、音響信号を入力する送話部１２と、を備えており、前記カバー部２０は、映像を出力する液晶画面２１と、音響を出力する受話部２２と、特殊機能を実行するための機能キー２３と、を備えている。
【０００８】
そして、前記カバー部２０の後面には、ガイド溝２４が形成されており、前記本体部１０の上面には、前記ガイド溝２４に結合されるスライダー（図示せず）が備わる。
【０００９】
したがって、使用者が通話のためにカバー部２０に外力を加えると、前記ガイド溝２４及びスライダーによってカバー部２０が水平方向にスライド移動し、本体部１０のキーパッド１１と送話部１２が露出される。その後、使用者は、前記キーパッド１１を用いて信号を入力し、送話部１２と受話部２２を用いて通話をする。
【発明の開示】
【発明が解決しようとする課題】
【００１０】
しかしながら、上記のような従来のスライド型移動通信端末機においては、カバー部２０が水平方向のみに移動するので、通話のためにカバー部２０をスライド移動した後、端末機の全体的な厚さが一定でなく、カバー部２０の後面に形成されたガイド溝２４が外部に直接露出されるなど、外観上に悪い印象を与えるという問題点があった。
【００１１】
本発明は上記の問題点を解決するためのもので、その目的は、カバー部が垂直方向に移動可能なスライド型移動通信端末機を提供することにある。
【課題を解決するための手段】
【００１２】
上記目的を達成するために、本発明は、上面中央部に傾斜面が形成される本体部と、下面中央部に前記本体部の傾斜面に対応する傾斜面が形成されるカバー部と、前記本体部とカバー部に提供され、前記カバー部を水平方向及び垂直方向に移動させるスライドモジュールと、を含んで構成されるスライド型移動通信端末機を提供する。
【００１３】
ここで、前記スライドモジュールは、前記本体部の内部に固定され、一部が本体部の傾斜面と同一の角度で折曲されるスライドレールと、一端は前記カバー部の内部に固定され、他端は前記スライドレールに沿って移動するスライダーと、を含んで構成される。
【００１４】
そして、前記スライドレールは、前記本体部の下部から中央部に向かって延長される一対の水平レールと、前記水平レールから延長され、前記本体部の中央部傾斜面と同一の角度で折曲される一対の傾斜レールと、から構成される。
【００１５】
また、前記スライドレールには、ガイド溝が形成され、前記スライダーには、前記ガイド溝に挿入されてスライド移動するガイド突起が形成される。
【００１６】
ここで、前記ガイド突起には、スライダーのより円滑な移動のための弾性材質のローラが設置されることが好ましい。
【００１７】
また、前記スライドレールには、ガイド溝が形成され、前記スライダーには、前記ガイド溝に挿入されてスライド移動するボールベアリングが設置される。
【００１８】
そして、前記一対の水平レール間には、サポータープレートが提供されることが好ましい。
【００１９】
一方、前記スライドモジュールは、前記本体部の内部に固定され、一部が本体部の傾斜面と同一の角度で折曲される第１スライドレールと、前記カバー部の内部に固定され、一部がカバー部の傾斜面と同一の角度で折曲される第２スライドレールと、前記第１スライドレールから延長され、前記第２スライドレールに結合される第１スライダーと、前記第２スライドレールから延長され、前記第１スライドレールに結合される第２スライダーと、を含んで構成される。
【００２０】
ここで、前記第１スライドレールは、前記本体部の下部から中央部に向かって延長される一対の第１水平レールと、前記第１水平レールから延長され、前記本体部の中央部傾斜面と同一の角度で折曲される一対の第１傾斜レールと、から構成され、前記第２スライドレールは、前記カバー部の上部から中央部に向かって延長される一対の第２水平レールと、
前記第２水平レールから延長され、前記カバー部の中央部傾斜面と同一の角度で折曲される一対の第２傾斜レールと、から構成される。
【００２１】
前記第１スライダーは、第１傾斜レールから延長されて第２スライドレールと結合し、前記第２スライダーは、前記第２水平レールから延長されて第１スライドレールと結合する。
【００２２】
そして、前記第１スライダーの終端には、第２スライドレールとの高さ差補償のための延長部が形成される。
【００２３】
前記第１及び第２スライドレールには、ガイド溝がそれぞれ形成され、前記延長部と第２スライダーには、前記ガイド溝に挿入されるガイド突起がそれぞれ形成される。
【００２４】
そして、前記ガイド突起には、第１及び第２スライダーのより円滑な移動のためのプラスチック材質のローラが設置されることが好ましい。
【００２５】
また、前記第１及び第２スライドレールには、ガイド溝が形成され、前記延長部と第２スライダーには、前記ガイド溝に挿入されてスライド移動するボールベアリングが設置される。
【００２６】
そして、前記第１及び第２水平レールの間には、第１及び第２サポータープレートがそれぞれ提供されることが好ましい。
【００２７】
前記スライドモジュールは、前記本体部の内部に提供され、前記カバー部の水平移動経路を形成するガイドプレートと、前記ガイドプレートに移動可能に結合し、前記カバー部のスライド移動時、水平往復運動するスライダーと、一側が前記スライダーに結合され、他側が前記カバー部に結合され、前記カバー部の垂直方向移動時に回転するリンクと、を含んで構成される。
【００２８】
そして、前記スライディングモジュールには、前記カバー部が前記本体部を開放する方向に垂直方向スライド移動するように、前記カバー部に力を加える弾性部材をさらに含んで構成される。
【００２９】
前記弾性部材は、前記リンクを回転させることで、前記カバー部を垂直方向移動させることが好ましい。
【００３０】
前記弾性部材は、一側が前記リンクに結合され、他側が前記スライダーに結合され、前記カバー部が前記本体部を開放する方向に前記リンクを回転させるトーションスプリングから構成されることが好ましい。
【００３１】
前記弾性部材は、中心部としてねじりモーメントが発生するコイル部と、前記コイル部の両端が長く延長された延長端部と、を含んで構成される。
【００３２】
前記スライダーは、リンクの下部に軸結合されることが好ましい。
【００３３】
前記弾性部材は、一側が前記リンクに結合され、他側が前記スライダーに結合され、中心部が前記軸に結合されることが好ましい。
【００３４】
一方、通話のための前記カバー部のスライド移動後、前記リンクは、本体上面と所定角度を維持することが好ましい。
【００３５】
前記リンクと本体上面とがなす角は、３０゜であることが好ましい。
【００３６】
前記本体部に形成され、前記リンクが所定角度以上回転することを防止する第１回転防止部をさらに含んで構成される。
【００３７】
前記第１回転防止部は、前記本体部と垂直に形成される第１垂直段と、前記本体部に所定角度をなして形成される第１傾斜段と、から構成される。
【００３８】
前記カバー部に形成され、前記リンクが所定角度以上回転することを防止する第２回転防止部をさらに含んで構成される。
【００３９】
前記カバー部と垂直に形成される第２垂直段と、前記カバー部に所定角度をなして形成される第２傾斜段と、から構成される。
【００４０】
上記目的を達成するために、本発明は、例えば、以下の手段を提供する：
（項目１）
上面中央部に傾斜面が形成される本体部と、
下面中央部に前記本体部の傾斜面に対応する傾斜面が形成されるカバー部と、
前記本体部とカバー部に提供され、前記カバー部を水平方向及び垂直方向に移動させるスライドモジュールと、を含んで構成されるスライド型移動通信端末機。
（項目２）
前記スライドモジュールは、
前記本体部の内部に固定され、一部が本体部の傾斜面と同一の角度で折曲されるスライドレールと、
一端は前記カバー部の内部に固定され、他端は前記スライドレールに沿って移動するスライダーと、を含んで構成される項目１に記載のスライド型移動通信端末機。
（項目３）
前記スライドレールは、
前記本体部の下部から中央部に向かって延長される一対の水平レールと、前記水平レールから延長され、前記本体部の中央部傾斜面と同一の角度で折曲される一対の傾斜レールと、から構成される項目２に記載のスライド型移動通信端末機。
（項目４）
前記スライドレールには、ガイド溝が形成され、
前記スライダーには、前記ガイド溝に挿入されてスライド移動するガイド突起が形成される項目２に記載のスライド型移動通信端末機。
（項目５）
前記ガイド突起には、スライダーのより円滑な移動のための弾性材質のローラが設置される項目４に記載のスライド型移動通信端末機。
（項目６）
前記スライドレールには、ガイド溝が形成され、
前記スライダーには、前記ガイド溝に挿入されてスライド移動するボールベアリングが設置される項目２に記載のスライド型移動通信端末機。
（項目７）
前記一対の水平レール間には、サポータープレートが提供される項目３に記載のスライド型移動通信端末機。
（項目８）
前記スライドモジュールは、
前記本体部の内部に固定され、一部が本体部の傾斜面と同一の角度で折曲される第１スライドレールと、
前記カバー部の内部に固定され、一部がカバー部の傾斜面と同一の角度で折曲される第２スライドレールと、
前記第１スライドレールから延長され、前記第２スライドレールに結合される第１スライダーと、
前記第２スライドレールから延長され、前記第１スライドレールに結合される第２スライダーと、を含んで構成される項目１に記載のスライド型移動通信端末機。
（項目９）
前記第１スライドレールは、
前記本体部の下部から中央部に向かって延長される一対の第１水平レールと、
前記第１水平レールから延長され、前記本体部の中央部傾斜面と同一の角度で折曲される一対の第１傾斜レールと、から構成され、
前記第２スライドレールは、
前記カバー部の上部から中央部に向かって延長される一対の第２水平レールと、
前記第２水平レールから延長され、前記カバー部の中央部傾斜面と同一の角度で折曲される一対の第２傾斜レールと、から構成される項目８に記載のスライド型移動通信端末機。
（項目１０）
前記第１スライダーは、第１傾斜レールから延長されて第２スライドレールと結合し、前記第２スライダーは、前記第２水平レールから延長されて第１スライドレールと結合する項目９に記載のスライド型移動通信端末機。
（項目１１）
前記第１スライダーの終端には、第２スライドレールとの高さ差補償のための延長部が形成される項目１０に記載のスライド型移動通信端末機。
（項目１２）
前記第１及び第２スライドレールには、ガイド溝がそれぞれ形成され、
前記延長部と第２スライダーには、前記ガイド溝に挿入されるガイド突起がそれぞれ形成される項目１１に記載のスライド型移動通信端末機。
（項目１３）
前記ガイド突起には、第１及び第２スライダーのより円滑な移動のためのプラスチック材質のローラが設置される項目１２に記載のスライド型移動通信端末機。
（項目１４）
前記第１及び第２スライドレールには、ガイド溝が形成され、
前記延長部と第２スライダーには、前記ガイド溝に挿入されてスライド移動するボールベアリングが設置される項目１１に記載のスライド型移動通信端末機。
（項目１５）
前記第１及び第２水平レールの間には、第１及び第２サポータープレートがそれぞれ提供される項目９に記載のスライド型移動通信端末機。
（項目１６）
前記スライドモジュールは、
前記本体部の内部に提供され、前記カバー部の水平移動経路を形成するガイドプレートと、
前記ガイドプレートに移動可能に結合し、前記カバー部のスライド移動時、水平往復運動するスライダーと、
一側が前記スライダーに結合され、他側が前記カバー部に結合され、前記カバー部の垂直方向移動時に回転するリンクと、を含む項目１に記載のスライド型移動通信端末機。
（項目１７）
前記スライディングモジュールには、
前記カバー部が前記本体部を開放する方向に垂直方向スライド移動するように、前記カバー部に力を加える弾性部材をさらに含んで構成される項目１６に記載のスライド型移動通信端末機。
（項目１８）
前記弾性部材は、前記リンクを回転させることで、前記カバー部を垂直方向移動させることを特徴とする項目１７に記載のスライド型移動通信端末機。
（項目１９）
前記弾性部材は、一側が前記リンクに結合され、他側が前記スライダーに結合され、前記カバー部が前記本体部を開放する方向に前記リンクを回転させるトーションスプリングから構成されることを特徴とする項目１８に記載のスライド型移動通信端末機。
（項目２０）
前記弾性部材は、
中心部としてねじりモーメントが発生するコイル部と、前記コイル部の両端が長く延長された延長端部と、を含んで構成される項目１９に記載のスライド型移動通信端末機。
（項目２１）
前記スライダーは、リンクの下部に軸結合されることを特徴とする項目１７に記載のスライド型移動通信端末機。
（項目２２）
前記弾性部材は、一側が前記リンクに結合され、他側が前記スライダーに結合され、中心部が前記軸に結合されることを特徴とする項目２１に記載のスライド型移動通信端末機。
（項目２３）
通話のための前記カバー部のスライド移動後、前記リンクは、本体上面と所定角度を維持する項目１６に記載のスライド型移動通信端末機。
（項目２４）
前記リンクと本体上面とがなす角は、３０゜である項目２３に記載のスライド型移動通信端末機。
（項目２５）
前記本体部に形成され、前記リンクが所定角度以上回転することを防止する第１回転防止部をさらに含んで構成されることを特徴とする項目２３に記載のスライド型移動通信端末機。
（項目２６）
前記第１回転防止部は、
前記本体部と垂直に形成される第１垂直段と、前記本体部に所定角度をなして形成される第１傾斜段と、から構成される項目２５に記載のスライド型移動通信端末機。
（項目２７）
前記カバー部に形成され、前記リンクが所定角度以上回転することを防止する第２回転防止部をさらに含んで構成されることを特徴とする項目２５に記載のスライド型移動通信端末機。
（項目２８）
前記カバー部と垂直に形成される第２垂直段と、前記カバー部に所定角度をなして形成される第２傾斜段と、から構成される項目２７に記載のスライド型移動通信端末機。
【００４１】
上面中央部に傾斜面１３０が形成される本体部１００と、下面中央部に前記本体部１００の傾斜面１３０に対応する傾斜面２４０が形成されるカバー部２００と、前記本体部１００とカバー部２００に提供され、前記カバー部２００を水平方向及び垂直方向に移動させるスライドモジュールと、を含んでスライド型移動通信端末機を構成する。
【発明の効果】
【００４２】
本発明に係るスライド型移動通信端末機は、次のような効果を有する。
【００４３】
本発明は、本体部とカバー部の中央部に相互対応する傾斜面を形成し、この傾斜面に沿ってカバー部が移動できるようにスライドモジュールを提供することで、カバー部の垂直方向移動を可能にする。したがって、通話などの新しい機能を実行するためのカバー部のスライド移動が完了すると、前記カバー部が垂直方向に移動し、移動通信端末機の厚さがスリム化される。
【００４４】
特に、前記本体部の下部厚さとカバー部の上部厚さとが同一である場合、カバー部のスライド移動が完了した後、移動通信端末機の全体厚さが一定になり、外観デザインが向上するという効果がある。
【発明を実施するための最良の形態】
【００４５】
以下、本発明の好適な実施形態について、添付の図面に基づいて詳細に説明する。本実施形態を説明するにおいて、同一構成には同一名称及び同一符号を付与し、それに対する付加的な説明を省略する。
【００４６】
図２は、本発明に係るスライド型移動通信端末機を示す正面図及び側面図である。
【００４７】
図２に示すように、本発明に係るスライド型移動通信端末機は、本体部１００と、該本体部１００の上面に結合されてスライド移動するカバー部２００と、から構成される。
【００４８】
前記本体部１００は、各種記号の信号入力のためのキーパッド１１０（図３を参照）と、音響信号を入力する送話部１２０（図３を参照）と、を備えており、前記カバー部２００は、映像を出力する液晶画面２１０と、音響を出力する受話部２２０と、特殊機能を実行するための機能キー２３０と、を備えている。
【００４９】
前記本体部１００の上面中央部には、傾斜面１３０が形成され、前記カバー部２００の下面中央部には、前記本体部１００の傾斜面１３０に対応する傾斜面２４０が形成される。
【００５０】
ここで、前記本体部１００とカバー部２００の傾斜面１３０，２４０は、下向きに傾斜して形成される。この場合、前記本体部１００の上部厚さＡ２は、下部厚さＡ１に比べて小さく形成され、前記カバー部２００の上部厚さＢ２は、下部厚さＢ１に比べて大きく形成される。もちろん、前記傾斜面１３０，２４０は、上向きに傾斜して形成されることもあり、この場合、前記本体部１００とカバー部２００の上下部厚さは、上述したものと反対になる。
【００５１】
前記本体部１００とカバー部２００の傾斜面１３０，２４０は、カバー部２００の垂直方向移動を可能にする。
【００５２】
図３は、カバー部のスライド移動が完了した状態の本発明に係る移動通信端末機の正面図及び側面図である。
【００５３】
図３に示すように、前記カバー部２００の垂直方向移動は、カバー部２００の下部が本体部１００の傾斜面１３０に沿ってスライド移動すると同時に、カバー部２００の傾斜面２４０が本体部１００の上部に沿ってスライド移動することで行われる。
【００５４】
したがって、前記カバー部２００のスライド移動が完了すると、前記本体部１００のキーパッド１１０が完全に露出され、移動通信端末機の厚さは、本体部１００の下部厚さＡ１またはカバー部２００の上部厚さＢ２と同一になって全体的に薄くなる。
【００５５】
すなわち、前記カバー部２００のスライド移動前に、移動通信端末機の全体厚さは、Ａ１＋Ｂ１またはＡ２＋Ｂ２であるが（図２を参照）、前記カバー部２００のスライド移動が完了すると、移動通信端末機の厚さがＡ１またはＢ２となる。
【００５６】
特に、前記本体部１００の下部厚さＡ１とカバー部２００の上部厚さＢ２とが同一である場合、カバー部２００のスライド移動が完了した後、移動通信端末機の全体厚さが一定になる。
【００５７】
一方、前記本体部１００とカバー部２００には、前記カバー部２００を水平方向及び垂直方向に移動させるスライドモジュールが提供される。
【００５８】
図４は、本発明に係るスライドモジュールの第１実施形態を示す分解斜視図で、図５Ａ〜図５Ｃは、図４に示したスライドモジュールによってカバー部のスライド移動が行われる過程を示す図である。
【００５９】
図４及び図５Ａ〜図５Ｃに示すように、本発明に係るスライドモジュールの第１実施形態は、本体部１００の内部に固定されるスライドレール３１０と、前記カバー部２００に提供されるスライダー３２０と、から構成される。
【００６０】
前記スライドレール３１０は、一部が本体部１００の傾斜面１３０と同一の角度で折曲される。また、前記スライダー３２０は、一端がカバー部２００の内部に固定され、他端が前記スライドレール３１０に移動可能に結合される。
【００６１】
一層詳しく説明すると、前記スライドレール３１０は、前記本体部１００の下部から中央部に向かって延長される一対の水平レール３１１と、該水平レール３１１から延長され、前記本体部１００の傾斜面１３０と同一の角度で折曲される一対の傾斜レール３１２と、から構成される。
【００６２】
したがって、前記カバー部２００に加えられる外力によってスライダー３２０が前記水平レール３１１及び傾斜レール３１２に沿って移動するとき、カバー部２００の水平方向及び垂直方向移動が行われる。
【００６３】
具体的に説明すると、前記スライダー３２０が水平レール３１１に沿って移動するとき、前記カバー部２００の水平方向移動が行われ、前記スライダー３２０が傾斜レール３１２に沿って移動するとき、前記カバー部２００の垂直方向移動が行われる。
【００６４】
前記スライドレール３１０とスライダー３２０とを結合するために、前記スライドレール３１０には、ガイド溝３１３が形成され、前記スライダー３２０には、前記ガイド溝３１３に挿入されてスライド移動するガイド突起３２１が形成される。前記ガイド突起３２１は、必要によって多数個形成される。
【００６５】
一方、前記ガイド突起３２１には、ローラ３２２が提供されることが好ましい。前記ローラ３２２は、ガイド溝３１３に挿入された状態で回転してスライダー３２０の円滑な移動を助け、スライドレール３１０との摩擦によって発生するガイド突起３２１の摩耗を防止する。このローラ３２２は、金属材質によって製作されるか、摩擦に強いＰＯＭ（Ｐｏｌｙ  Ｏｘｙ  Ｍｅｔｈｙｌｅｎｅ）などのプラスチック材質によって製作される。
【００６６】
もちろん、前記スライダー３２０には、前記ガイド突起３２１の代りに、ボールベアリング（図示せず）が設置されることもある。前記ボールベアリングは、ローラ３２２と同様に、スライダー３２０の円滑な移動を助け、スライダー３２０の移動時に発生するスライドレール３１０との摩擦を最小化する。
【００６７】
一方、前記一対の水平レール３１１間には、サポータープレート３１４が提供されることが好ましい。前記サポータープレート３１４は、スライドレール３１０間の間隔を一定に維持させ、スライダー３２０がスライドレール３１０に沿って所定位置に正確に移動できるようにする。
【００６８】
また、前記サポータープレート３１４は、スライドレール３１０を一層容易に設置できるようにする。すなわち、使用者は、本体部１００内部の所定位置にサポータープレート３１４を押し入れる簡単な方法で、スライドレール３１０の設置を完了することができる。
【００６９】
もちろん、前記サポータープレート３１４は、傾斜レール３１２とスライダー３２０との間にも設置される。しかし、この場合、傾斜レール３１２とスライダー３２０との間の空間を活用できないという問題点がある。そのため、サポータープレート３１４は、一対の水平レール３１１間のみに設置されることが好ましい。
【００７０】
以下、上記のように構成されるスライドモジュールの第１実施形態において、カバー部２００のスライド移動が行われる過程を説明する。
【００７１】
図５Ａ及び図５Ｂに示すように、水平レール３１１にスライダー３２０が結合された状態で、使用者が通話などの新しい機能を実行するためにカバー部２００に外力を加えると、ローラ３２２の回転によって、前記スライダー３２０が水平レール３１１に沿って移動する。このように、前記スライダー３２０が水平レール３１１に沿って移動すると、前記スライダー３２０と結合されたカバー部２００の水平方向移動が行われる。
【００７２】
その後、図５Ｃに示すように、前記スライダー３２０が傾斜レール３１２に沿って移動すると、カバー部２００の下部が本体部１００の傾斜面１３０に沿ってスライド移動すると同時に、カバー部２００の傾斜面２４０が本体部１００の上部に沿ってスライド移動することで、カバー部２００の垂直方向移動が行われる。
【００７３】
前記カバー部２００の水平方向及び垂直方向移動が完了すると、移動通信端末機の厚さは、本体部１００の下部厚さＡ１またはカバー部２００の上部厚さＢ２と同一になってスリム化される。
【００７４】
また、前記本体部１００の下部厚さＡ１とカバー部２００の上部厚さＢ２が同一である場合、カバー部２００のスライド移動が完了した後、移動通信端末機の全体厚さが一定になる。
【００７５】
図６は、本発明に係るスライドモジュールの第２実施形態を示す分解斜視図で、図７Ａ〜図７Ｃは、図６に示したスライドモジュールによってカバー部のスライド移動が行われる過程を示す図である。
【００７６】
図６及び図７Ａ〜図７Ｃに示すように、本発明の第２実施形態に係るスライドモジュールは、本体部１００の内部に固定される第１スライドレール４１０と、カバー部２００の内部に固定される第２スライドレール４２０と、該第２スライドレール４２０に結合される第１スライダー４３０と、前記第１スライドレール４１０に結合される第２スライダー４４０と、を含んで構成される。
【００７７】
前記第１スライドレール４１０は、一部が本体部１００の傾斜面１３０と同一角度で折曲され、前記第２スライドレール４２０は、一部がカバー部２００の傾斜面２４０と同一角度で折曲される。そして、前記第１スライダー４３０は、前記第１スライドレール４１０から延長され、前記第２スライダー４４０は、前記第２スライドレール４２０から延長される。
【００７８】
一層詳しく説明すると、前記第１スライドレール４１０は、前記本体部１００の下部から中央部に向かって延長される一対の第１水平レール４１１と、該第１水平レール４１１から延長され、本体部１００の傾斜面１３０と同一角度で折曲される一対の第１傾斜レール４１２と、から構成される。
【００７９】
そして、前記第２スライドレール４２０は、前記カバー部２００の上部から中央部に向かって延長される一対の第２水平レール４２１と、該第２水平レール４２１から延長され、前記カバー部２００の傾斜面２４０と同一角度で折曲される一対の第２傾斜レール４２２と、から構成される。
【００８０】
したがって、前記カバー部２００に加えられる外力によって前記第１及び第２スライダー４３０，４４０が第１及び第２水平レール４１１，４２１に沿って移動するとき、カバー部２００の水平方向移動が行われ、前記第１及び第２スライダー４３０，４４０が第１及び第２傾斜レール４１２，４２２に沿って移動するとき、カバー部２００の垂直方向移動が行われる。
【００８１】
具体的に説明すると、前記第１スライダー４３０が第２水平レール４２１に沿って移動するとき、第２スライダー４４０は、第１水平レール４１１に沿って移動し、前記第１スライダー４３０が第２傾斜レール４２２に沿って移動するとき、第２スライダー４４０は、第１傾斜レール４１２に沿って移動する。
【００８２】
もちろん、前記第１スライダー４３０が第２スライダーレール４２０に沿って直接移動するのではなく、実際は、前記カバー部２００と一緒に第２スライドレール４２０が移動する。
【００８３】
一方、前記第１スライダー４３０は、第１傾斜レール４１２から延長されて第２スライドレール４２０と結合し、前記第２スライダー４４０は、前記第２水平レール４２１から延長されて第１スライドレール４１０と結合する。
【００８４】
ここで、前記第２スライダー４４０とは異なって、第１スライダー４３０が第１傾斜レール４１２から延長される理由は、カバー部２００の垂直方向移動によってカバー部２００と第１スライダー４３０とが接触する現象を防止するためである。
【００８５】
すなわち、前記第１スライダー４３０が第１水平レール４１１から延長されると、前記カバー部２００の移動経路上に第１スライド４３０が位置するようになり、カバー部２００の移動が制限される（図７Ｂ及び図７Ｃを参照）。この場合、前記カバー部２００の垂直方向移動を行うためには、カバー部２００の内部に、前記第１スライド４３０が収納される別途の空間を設けるべきである。したがって、前記第１スライダー４３０は、第１水平レール４１１よりも第１傾斜レール４１２から延長されることが好ましい。
【００８６】
しかしながら、前記第１スライダー４３０が第１傾斜レール４１２から延長されることで、前記第１スライダー４３０は、第２スライドレール４２０より低い位置に置かれる。したがって、前記第１スライダー４３０の終端には、第２スライドレール４２０との高さ差を補償するための延長部４５０が形成される。この場合、前記延長部４５０は、第２スライドレール４２０に結合される。
【００８７】
前記第１及び第２スライドレール４１０，４２０と第１及び第２スライダー４３０，４４０とを結合するために、前記第１及び第２スライドレール４１０，４２０には、ガイド溝４１３，４２３が形成され、前記延長部４５０と第２スライダー４４０には、前記ガイド溝４１３，４２３に挿入されてスライド移動するガイド突起４５１，４４１が形成される。前記ガイド突起４５１，４４１は、必要によって多数個形成される。
【００８８】
一方、前記ガイド突起４５１，４４１には、ローラ４６０が提供されることが好ましい。また、前記延長部４５０と第２スライダー４４０には、前記ガイド突起４５１，４４１の代りにボールベアリング（図示せず）が設置されることもある。前記ローラ４６０及びボールベアリングに対しては、第１実施形態で詳しく説明したので、それに対する説明を省略する。
【００８９】
一方、前記第１及び第２水平レール４１１，４２１間には、サポータープレート４１４，４２４がそれぞれ提供されることが好ましい。前記サポータープレート４１４，４２４は、第１及び第２スライドレール４１０，４２０間の間隔を一定に維持させ、第１及び第２スライダー４３０，４４０が第１及び第２スライドレール４１０，４２０に沿って所定位置に正確に移動できるようにする。
【００９０】
また、前記サポータープレート４１４，４２４は、第１及び第２スライドレール４１０，４２０を一層容易に設置できるようにする。すなわち、使用者は、本体部１００とカバー部２００内部の所定位置にサポータープレート４１４，４２４を押し入れる簡単な方法で、第１及び第２スライドレール４１０，４２０の設置を完了することができる。
【００９１】
以下、上記のように構成されるスライドモジュールの第２実施形態において、カバー部２００のスライド移動が行われる過程を説明する。
【００９２】
図７Ａ及び図７Ｂに示すように、前記第１及び第２水平レール４１０，４２０に第１及び第２スライダー４３０，４４０が結合された状態で、使用者が通話などの新しい機能を実行するためにカバー部２００に外力を加えると、ローラ４６０の回転によって、第１スライダー４３０が第２水平レール４２１に沿って移動し、第２スライダー４４０が第１水平レール４１１に沿って移動することで、カバー部２００の水平方向移動が行われる。
【００９３】
その後、図７Ｃに示すように、前記第２スライダー４４０が第１傾斜レール４１２に沿って移動すると同時に、第１スライダー４３０が第２傾斜レール４２２に沿って移動することで、カバー部２００の垂直方向移動が行われる。
【００９４】
上記のように、前記カバー部２００の水平方向及び垂直方向移動が完了すると、移動通信端末機の厚さは、本体部１００の下部厚さＡ１またはカバー部２００の上部厚さＢ２と同一になってスリム化される。
【００９５】
また、前記本体部１００の下部厚さＡ１とカバー部２００の上部厚さＢ２が同一である場合、カバー部２００のスライド移動が完了した後、移動通信端末機の全体厚さが一定になる。
【００９６】
図８は、本発明に係るスライドモジュールの第３実施形態を示す斜視図である。
【００９７】
図８に示すように、本発明に係るスライドモジュールの第３実施形態は、スライダー５２０、ガイド部５１０及びリンク５３０によって構成される。
【００９８】
前記ガイド部５１０は、前記本体部１００またはカバー部２００の何れ側に備わっても構わないが、本実施形態では、本体部１００に備わる場合を説明する。
【００９９】
前記ガイド部５１０は、前記本体部１００の内部に提供され、前記カバー部２００の水平移動経路を形成する。前記スライダー５２０は、前記ガイド部５１０に移動可能に結合され、前記カバー部２００のスライド移動時に水平往復運動をする。前記リンク５３０は、一側が前記スライダー５２０に結合され、他側が前記カバー部２００に結合され、前記カバー部２００の垂直方向移動時に回転する（図８、図９Ａ及び図９Ｂを参照）。
【０１００】
一層詳しく説明すると、前記ガイド部５１０は、プレート形態であり、両側面にレールが形成される。そして、前記スライダー５２０は、前記ガイド部５１０のレールにそれぞれ結合される。ここで、前記スライダー５２０は、前記ガイド部５１０のレールにそれぞれ結合されるように二つによって構成される。しかし、本発明において、前記スライダー５２０は、一つであり、前記ガイド部５１０のレールに結合されるように、前記ガイド部５１０を取り囲む形態で構成される。
【０１０１】
前記リンク５３０は、一端が前記スライダー５２０に軸５４１によって結合され、前記リンク５３０の他端は、前記カバー部２００に軸５４２によって結合される。前記リンク５３０が前記スライダー５２０及びカバー部２００に軸５４１，５４２によって結合されるので、前記リンク５３０は、前記スライダー５２０及びカバー部２００に対して回動可能になる。もちろん、当業者の水準で回動可能な構成であれば、全て採用可能である。
【０１０２】
前記軸５４１，５４２は、前記スライダー５２０と前記カバー部２００にそれぞれ形成され、前記リンク５３０と結合されることもあり、前記リンク５３０に形成され、前記スライダー５２０と前記カバー部２００にそれぞれ結合されることもある。また、前記軸５４１，５４２は、別途に備わることで、前記リンク５３０の上部を前記カバー部２００に結合させ、前記リンク５３０の下部を前記スライダー５２０に結合させることもできる。
【０１０３】
そして、前記カバー部２００が垂直方向移動をするとき、前記リンク５３０を回転させるために、前記軸５４１，５４２は、前記カバー部２００の側面方向及び前記スライダー５２０の移動方向に垂直な方向に形成される。
【０１０４】
一方、前記スライドモジュールには、弾性部材５５０がさらに備わる。前記弾性部材５５０は、前記カバー部２００に力を加えることで、前記カバー部２００が前記本体部１００を開放する方向に垂直方向スライド移動をするように弾性力を提供する。
【０１０５】
図１０に示すように、前記弾性部材５５０は、前記カバー部２００が前記本体部１００を開放するために水平移動した後、垂直移動するとき、前記カバー部２００に弾性力を提供し、前記カバー部２００を自動に回転させる。ここで、前記弾性部材５５０は、前記カバー部２００に直接的に弾性力を加えて、前記カバー部２００を移動させることもできるが、前記リンク５３０に弾性力を加えて前記リンク５３０を回転させることで、前記カバー部２００を垂直方向に自動移動させる。
【０１０６】
上述したように、前記弾性部材５５０がリンク５３０を回転させるために、前記弾性部材５５０は、一側が前記リンク５３０に結合され、他側が前記スライダー５２０に結合されて前記リンク５３０を回転させるトーションスプリングからなる。したがって、前記リンク５３０の回転によって、前記カバー部２００が前記本体部１００を開放する方向に垂直移動する。
【０１０７】
前記トーションスプリングを一層詳しく説明すると、前記トーションスプリングは、中心部としてねじりモーメントが発生するコイル部５５０ａと、該コイル部５５０ａの両端が長く延長された延長端部５５０ｂと、から構成される。ここで、前記トーションスプリングは、コイル部５５０ａが固定されない場合、弾性力を確実に伝達できなくなる。
【０１０８】
したがって、前記弾性部材５５０、すなわち、前記トーションスプリングは、前記一側が前記リンク５３０に結合され、他側が前記スライダー５２０に結合され、中心部、すなわち、コイル部５５０ａが前記軸５４１に結合される。ここで、前記トーションスプリングのコイル部５５０ａは、前記リンク５３０と前記スライダー５２０とを結合する軸５４１、すなわち、前記リンク５３０の下部に結合する軸５４１に結合される。
【０１０９】
一方、前記リンク５３０が９０゜回転し、リンク５３０が本体１００の上面と平行な状態になると、前記リンク５３０を反時計方向に回転させてカバー部２００を元の位置に復帰させるには非常に大きな力が要求される。
【０１１０】
したがって、通話のためのカバー部２００のスライド移動が完了したとき、すなわち、前記カバー部２００が前記本体部１００を開放する方向に垂直移動したとき、前記リンク５３０は、本体１００の上面と所定角を維持することが好ましい。具体的に、前記リンク５３０と本体の上面とがなす角は、鋭角であることが好ましく、３０゜であることが一層好ましい。
【０１１１】
また、前記リンク５３０が過度に回転すると、前記カバー部２００が垂直移動するとき、前記本体部１００との衝撃が発生し、前記カバー部２００と前記本体部１００が損傷する恐れがある。
【０１１２】
前記本体部１００には、前記リンク５３０が前記本体部１００と所定角をなし、前記リンク５３０の過回転を防止するために、前記リンク５３０が所定角度以上回転することを防止する第１回転防止部１４０が形成される。そして、前記カバー部２００には、前記リンク５３０が所定角度以上回転することを防止する第２回転防止部２５０が形成される（図１１Ａ、図１１Ｂ及び図１１Ｃを参照）。
【０１１３】
ここで、前記第１回転防止部１４０及び第２回転防止部２５０は、二つのうち何れか一つのみが形成される。しかし、一層安定的に前記リンク５３０の過回転を防止するために、前記第１回転防止部１４０及び第２回転防止部２５０が全て形成されることが好ましい。
【０１１４】
一層詳しく説明すると、前記第１回転防止部１４０は、前記本体部１００と垂直に形成される第１垂直段１４０ａと、前記本体部１００に所定角度（例えば３０゜）をなして形成される第１傾斜段１４０ｂと、から構成される。前記第１回転防止部１４０の第１垂直段１４０ａは、前記本体部１００の中間部に形成され、前記カバー部２００が前記本体部１００を閉鎖するとき、前記リンク５３０が過回転することを防止する。そして、前記第１回転防止部１４０の第１傾斜段１４０ａは、前記本体部１００の外郭に隣接して形成され、前記カバー部２００が前記本体部１００を開放するとき、前記リンク５３０が過回転することを防止する。
【０１１５】
前記第２回転防止部２５０は、前記カバー部２００と垂直に形成される第２垂直段２５０ａと、前記カバー部２００に所定角度（例えば３０゜）をなして形成される第２傾斜段２５０ｂと、から構成される。前記第２回転防止部２５０は、前記リンク５３０と前記カバー部２００とを結合する軸５４２に隣接して形成される。一層好ましくは、図１１Ａに示すように、前記第２垂直段２５０ａと前記第２傾斜段２５０ｂは、前記軸５４２の周囲を取り囲むように形成される。
【０１１６】
そして、前記第２回転防止部２５０の第２垂直段２５０ａは、前記カバー部２００が前記本体部１００を閉鎖するとき、前記リンク３３０が過回転することを防止し、前記第２回転防止部２５０の第２傾斜段２５０ｂは、前記カバー部２００が前記本体部１００を開放するとき、前記リンク５３０が過回転することを防止する。
【０１１７】
以下、上記のような本発明に係るスライドモジュールによって前記カバー部２００のスライド移動が行われる過程を説明する。
【０１１８】
図１１Ａ〜図１１Ｃは、図９Ａ及び図９Ｂに示したスライドモジュールによってカバー部２００のスライド移動が行われる過程を示す図である。
【０１１９】
図１１Ａ及び図１１Ｂに示すように、使用者が通話などの機能を実行するために前記カバー部２００に外力を加えると、前記ガイド部３１０に沿ってスライダー３２０及びリンク３３０が水平方向に移動し、これによって、カバー部２００が水平方向に移動する。
【０１２０】
その後、図１１Ｂ及び図１１Ｃに示すように、前記カバー部２００の下部が本体部１００の傾斜面１３０に位置し、前記リンク５３０が前記第１傾斜段１４０ｂに接すると、前記第１傾斜段１４０ｂの傾斜方向に前記リンク５３０が回転する。
【０１２１】
一層詳しくは、前記リンク５３０の弾性部材５５０が前記第１傾斜段１４０ｂの傾斜方向に弾性回復されながら、図１１Ｃに示すように動作する。
【０１２２】
前記リンク５３０が回転し、その一側面が前記第１傾斜段１４０ａの傾斜面に密着されると、前記リンク５３０の他側面が前記第２傾斜段２５０ａに密着される。すなわち、前記カバー部２００は、前記本体部１００に対して前記第１傾斜段１４０ａ及び第２傾斜段２５０ｂの傾斜分だけ下方に移動する。
【０１２３】
そして、使用者が端末機の使用を終了し、前記カバー部２００を前記本体部１００の元位置に復帰させるとき、使用者は、前記カバー部２００を前記本体部２００の方向に押す。このとき、最小限に、前記弾性部材５５０の弾性力を克服可能な程度の力を加えるべきである。
【０１２４】
前記弾性部材５５０の弾性力が克服されると、前記カバー部２００は、上述した過程、すなわち、図１１Ｃ及び図１１Ｂの順に逆に進行し、図１１Ａのように位置して前記本体部１００の上方に装着される。
【０１２５】
以上説明した実施形態の他にも、本発明がその趣旨及び範疇から逸脱しない範囲で他の多様な形態で具体化されることは、該当技術に通常の知識を有する者にとって明らかである。したがって、上述した実施形態は、制限的なものではなく、例示的なものと見なすべきである。よって、本発明は、上述した詳細な説明に限定されず、特許請求の範囲及びその同等範囲内で変更されうる。
【０１２６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【０１２７】
【図１Ａ】従来のスライド型移動通信端末機を示す斜視図である。
【図１Ｂ】従来のスライド型移動通信端末機を示す斜視図である。
【図２】本発明に係るスライド型移動通信端末機を示す正面図及び側面図である。
【図３】カバー部のスライド移動が完了した状態の本発明に係る移動通信端末機の正面図及び側面図である。
【図４】本発明に係るスライドモジュールの第１実施形態を示す分解斜視図である。
【図５Ａ】図４に示したスライドモジュールによってカバー部のスライド移動が行われる過程を示す図である。
【図５Ｂ】図４に示したスライドモジュールによってカバー部のスライド移動が行われる過程を示す図である。
【図５Ｃ】図４に示したスライドモジュールによってカバー部のスライド移動が行われる過程を示す図である。
【図６】本発明に係るスライドモジュールの第２実施形態を示す分解斜視図である。
【図７Ａ】図６に示したスライドモジュールによってカバー部のスライド移動が行われる過程を示す図である。
【図７Ｂ】図６に示したスライドモジュールによってカバー部のスライド移動が行われる過程を示す図である。
【図７Ｃ】図６に示したスライドモジュールによってカバー部のスライド移動が行われる過程を示す図である。
【図８】本発明に係るスライドモジュールの第３実施形態を示す斜視図である。
【図９Ａ】図８に示したスライドモジュールのスライド移動が行われる過程を示す図である。
【図９Ｂ】図８に示したスライドモジュールのスライド移動が行われる過程を示す図である。
【図１０】図８に示したスライドモジュールを構成するリンクと弾性部材の動作過程を示す図である。
【図１１Ａ】図８に示したスライドモジュールによってカバー部のスライド移動が行われる過程を示す図である。
【図１１Ｂ】図８に示したスライドモジュールによってカバー部のスライド移動が行われる過程を示す図である。
【図１１Ｃ】図８に示したスライドモジュールによってカバー部のスライド移動が行われる過程を示す図である。
【符号の説明】
【０１２８】
１００  本体部
１１０  キーパッド
１２０  送話部
２００  カバー部
２１０  液晶画面
２２０  受話部
２３０  機能キー
【図１Ａ】
2007166621.tif 000003
【図１Ｂ】
2007166621.tif 000004
【図２】
2007166621.tif 000005
【図３】
2007166621.tif 000006
【図４】
2007166621.tif 000007
【図５Ａ】
2007166621.tif 000008
【図５Ｂ】
2007166621.tif 000009
【図５Ｃ】
2007166621.tif 000010
【図６】
2007166621.tif 000011
【図７Ａ】
2007166621.tif 000012
【図７Ｂ】
2007166621.tif 000013
【図７Ｃ】
2007166621.tif 000014
【図８】
2007166621.tif 000015
【図９Ａ】
2007166621.tif 000016
【図９Ｂ】
2007166621.tif 000017
【図１０】
2007166621.tif 000018
【図１１Ａ】
2007166621.tif 000019
【図１１Ｂ】
2007166621.tif 000020
【図１１Ｃ】
2007166621.tif 000021